(57)【要約】【課題】天板への支持脚の取り付けをより強固にする支持脚取付構造を提供することを目的とする。【解決手段】本発明の支持脚取付構造３は、天板１の下面に取り付けられるベースプレート４と、ベースプレート４に設けられる第１締結部材５と、第１締結部材５と螺合する第２締結部材６とを備え、ベースプレート４は、第１締結部材５の第１係合部５２と係合し、第１締結部材５のベースプレート４の下面側への移動を規制するベースプレート側被係合部４１を備え、支持脚取付部２２は、第２締結部材６の第２係合部６２と係合し、第２締結部材６の支持脚取付部２２の上面側への移動を規制する支持脚取付部側被係合部２２ａを備え、第１締結部材５と第２締結部材６との螺合によって、支持脚取付部２２およびベースプレート４が第１係合部５２と第２係合部６２とによって挟持され、支持脚取付部２２がベースプレート４に取り付けられることを特徴とする。【選択図】図５
2019141230.tif 000002
【特許請求の範囲】
【請求項１】
天板の下面に支持脚を取り付けるための支持脚取付構造であって、
前記天板の下面に取り付けられ、前記支持脚に設けられた支持脚取付部が取り付けられるベースプレートと、
前記ベースプレートに設けられる第１締結部材と、
前記第１締結部材と螺合し、前記ベースプレートの下面に前記支持脚取付部を取り付ける第２締結部材とを備え、
前記第１締結部材が、前記第２締結部材と螺合する第１螺合部と、前記ベースプレートと係合する第１係合部とを備え、
前記第２締結部材が、前記第１締結部材の前記第１螺合部と螺合する第２螺合部と、前記支持脚取付部と係合する第２係合部とを備え、
前記ベースプレートは、前記ベースプレートの下面よりも上面側に、前記第１締結部材の前記第１係合部と係合し、前記第１締結部材が前記ベースプレートの下面側へ移動するのを規制するベースプレート側被係合部を備え、
前記支持脚取付部は、前記支持脚取付部の上面よりも下面側に、前記第２締結部材の前記第２係合部と係合し、前記第２締結部材が前記支持脚取付部の上面側へ移動するのを規制する支持脚取付部側被係合部を備え、
前記第１締結部材と前記第２締結部材とが螺合することによって、前記支持脚取付部および前記ベースプレートが前記第１係合部と前記第２係合部とによって挟持され、前記支持脚取付部が前記ベースプレートに取り付けられる、
支持脚取付構造。
【請求項２】
前記第１係合部が、前記第１螺合部の螺合軸に対して交差する方向に、前記第１螺合部から外側に拡張するフランジ部を備え、
前記ベースプレートが、上面から下面まで貫通する貫通孔を備え、
前記貫通孔が、
前記ベースプレートの上面側に、前記フランジ部を収容する第１貫通部と、
前記ベースプレートの下面側に、前記第１貫通部と連通する第２貫通部とを備え、
前記第１貫通部が、前記第２貫通部よりも大きい外周径を有し、
前記第１貫通部と前記第２貫通部との間の段差に、前記ベースプレート側被係合部が形成される、
請求項１記載の支持脚取付構造。
【請求項３】
前記第１螺合部が、前記第１貫通部および／または前記第２貫通部に収容される、
請求項２記載の支持脚取付構造。
【請求項４】
前記第１係合部が、前記第１螺合部の螺合軸の延びる方向に沿って前記フランジ部から前記ベースプレートの下面側に向かって延びる突起部をさらに備え、
前記ベースプレート側被係合部が、前記フランジ部が当接する当接面と、前記突起部が嵌入する凹部とを備える、
請求項２または３記載の支持脚取付構造。
【請求項５】
前記突起部が、先端に向かって先細りとなるように、テーパー状に形成されている、
請求項４記載の支持脚取付構造。
【請求項６】
天板と、支持脚と、請求項１〜５のいずれか１項に記載の支持脚取付構造とを備えたテーブルであって、
前記支持脚が、
略鉛直方向に延びる脚柱部と、
前記脚柱部の上端に略Ｔ字状に連結され、前記ベースプレートに取り付けられる支持脚取付部とを備え、
前記支持脚取付部は、前記脚柱部から延びる一方側の一箇所、および前記脚柱部から延びる他方側の一箇所の二箇所のみに前記支持脚取付構造が設けられて、前記ベースプレートに取り付けられる、
テーブル。
【請求項７】
前記支持脚が、２つの前記脚柱部と、それぞれが前記脚柱部のそれぞれに連結される２つの前記支持脚取付部とを備え、
四箇所のみの前記支持脚取付構造が設けられることで、それぞれ４つの前記第１締結部材および前記第２締結部材のみで、前記天板に前記支持脚が取り付けられる、
請求項６記載のテーブル。
【発明の詳細な説明】
【技術分野】
【０００１】
本発明は、支持脚取付構造および支持脚取付構造を備えたテーブルに関する。
【背景技術】
【０００２】
特許文献１には、テーブルの天板に支持脚を取り付けるための支持脚取付構造が開示されている。この支持脚取付構造では、天板の裏面に固着されたナット部材に、支持脚を通してボルト部材が螺合することで、天板の裏面に支持脚が取り付けられる。この支持脚取付構造は、ボルト部材とナット部材とで支持脚を天板に取り付けることができるので、天板に対して支持脚を着脱自在にし、天板と支持脚の運搬や格納を容易にする。
【先行技術文献】
【特許文献】
【０００３】
【特許文献１】実開昭６２−１７１９４０号公報
【発明の概要】
【発明が解決しようとする課題】
【０００４】
ところが、特許文献１の支持脚取付構造では、支持脚がナット部材に直接取り付けられているために、支持脚に横方向の力が加わった時に、ナット部材に、天板の裏面から引き剥がされる力が加わり、ナット部材の固着部分が破断してしまう可能性がある。
【０００５】
また、ナット部材として鬼目ナットが用いられる場合には、鬼目ナットが天板から外れてしまう可能性がより高い。鬼目ナットは、天板に押し込まれたり、ねじ込まれたりして固定されるので、天板の組織を破壊する。そのため、鬼目ナットが固定される天板の部分の強度が落ちてしまい、上述したような力が加わると、鬼目ナットの固定部分が破断してしまう可能性がある。それだけではなく、天板に係合する鬼目ナットの突起部分は小さく、鬼目ナットの元々の固定強度も十分ではないので、上述したような力が加わると、鬼目ナットが天板から抜けてしまう可能性もある。
【０００６】
本発明は、上記問題に鑑みなされたもので、天板への支持脚の取り付けをより強固にする支持脚取付構造および支持脚取付構造を備えたテーブルを提供することを目的とする。
【課題を解決するための手段】
【０００７】
本発明の支持脚取付構造は、天板の下面に支持脚を取り付けるための支持脚取付構造であって、前記天板の下面に取り付けられ、前記支持脚に設けられた支持脚取付部が取り付けられるベースプレートと、前記ベースプレートに設けられる第１締結部材と、前記第１締結部材と螺合し、前記ベースプレートの下面に前記支持脚取付部を取り付ける第２締結部材とを備え、前記第１締結部材が、前記第２締結部材と螺合する第１螺合部と、前記ベースプレートと係合する第１係合部とを備え、前記第２締結部材が、前記第１締結部材の前記第１螺合部と螺合する第２螺合部と、前記支持脚取付部と係合する第２係合部とを備え、前記ベースプレートは、前記ベースプレートの下面よりも上面側に、前記第１締結部材の前記第１係合部と係合し、前記第１締結部材が前記ベースプレートの下面側へ移動するのを規制するベースプレート側被係合部を備え、前記支持脚取付部は、前記支持脚取付部の上面よりも下面側に、前記第２締結部材の前記第２係合部と係合し、前記第２締結部材が前記支持脚取付部の上面側へ移動するのを規制する支持脚取付部側被係合部を備え、前記第１締結部材と前記第２締結部材とが螺合することによって、前記支持脚取付部および前記ベースプレートが前記第１係合部と前記第２係合部とによって挟持され、前記支持脚取付部が前記ベースプレートに取り付けられることを特徴とする。
【０００８】
また、前記第１係合部が、前記第１螺合部の螺合軸に対して交差する方向に、前記第１螺合部から外側に拡張するフランジ部を備え、前記ベースプレートが、上面から下面まで貫通する貫通孔を備え、前記貫通孔が、前記ベースプレートの上面側に、前記フランジ部を収容する第１貫通部と、前記ベースプレートの下面側に、前記第１貫通部と連通する第２貫通部とを備え、前記第１貫通部が、前記第２貫通部よりも大きい外周径を有し、前記第１貫通部と前記第２貫通部との間の段差に、前記ベースプレート側被係合部が形成されることが好ましい。
【０００９】
また、前記第１螺合部が、前記第１貫通部および／または前記第２貫通部に収容されることが好ましい。
【００１０】
また、前記第１係合部が、前記第１螺合部の螺合軸の延びる方向に沿って前記フランジ部から前記ベースプレートの下面側に向かって延びる突起部をさらに備え、前記ベースプレート側被係合部が、前記フランジ部が当接する当接面と、前記突起部が嵌入する凹部とを備えることが好ましい。
【００１１】
また、前記突起部が、先端に向かって先細りとなるように、テーパー状に形成されていることが好ましい。
【００１２】
本発明のテーブルは、天板と、支持脚と、上述した支持脚取付構造とを備えたテーブルであって、前記支持脚が、略鉛直方向に延びる脚柱部と、前記脚柱部の上端に略Ｔ字状に連結され、前記ベースプレートに取り付けられる支持脚取付部とを備え、前記支持脚取付部は、前記脚柱部から延びる一方側の一箇所、および前記脚柱部から延びる他方側の一箇所の二箇所のみに前記支持脚取付構造が設けられて、前記ベースプレートに取り付けられることを特徴とする。
【００１３】
また、前記支持脚が、２つの前記脚柱部と、それぞれが前記脚柱部のそれぞれに連結される２つの前記支持脚取付部とを備え、四箇所のみの前記支持脚取付構造が設けられることで、それぞれ４つの前記第１締結部材および前記第２締結部材のみで、前記天板に前記支持脚が取り付けられることが好ましい。
【発明の効果】
【００１４】
本発明によれば、天板への支持脚の取り付けをより強固にする支持脚取付構造および支持脚取付構造を備えたテーブルを提供することができる。
【図面の簡単な説明】
【００１５】
【図１】本発明の一実施形態のテーブルの正面図である。
【図２】本発明の一実施形態のテーブルの側面図である。
【図３】本発明の一実施形態のテーブルの支持脚を除く下面図である。
【図４】本発明の一実施形態の支持脚取付構造を示す、図１のＡ−Ａ線部分断面図である。
【図５】図４の支持脚取付構造の分解図である。
【発明を実施するための形態】
【００１６】
以下、添付図面を参照して、本発明の一実施形態に係る支持脚取付構造および支持脚取付構造を備えたテーブルを説明する。ただし、以下の実施形態はあくまで一例であり、本発明の支持脚取付構造および支持脚取付構造を備えたテーブルは、以下の実施形態に限定されることはない。
【００１７】
本実施形態のテーブルＴは、図１および図２に示されるように、天板１と、支持脚２と、支持脚取付構造３とを備えている。テーブルＴは、支持脚取付構造３を介して天板１に支持脚２が取り付けられて、食事や作業などを行なうための台として使用することができる。テーブルＴは、「テーブル」という用語に限定されることはなく、たとえば、ダイニングテーブルやリビングテーブルだけでなく、学習机や座卓などとしても使用することができる。なお、支持脚取付構造３は、本実施形態のテーブルＴに限定されることはなく、他のテーブルの天板の下面に支持脚を取り付けるために用いることができる。
【００１８】
天板１は、支持脚２により支持され、所定の高さが付与される部材である。天板１は、その上面に載置物を載置可能であり、あるいは、その上面で食事や作業などを行なうことが可能である。天板１は、図１〜図３に示されるように、略矩形板状に形成され、略矩形板の下面に、支持脚取付構造３を介して支持脚２が取り付けられる。天板１は、本実施形態では略矩形板状に形成されているが、上面に載置物を載置可能であり、あるいは、上面で食事や作業が可能であれば、その形状は特に限定されることはなく、たとえば略楕円形状などの他の形状に形成されていてもよい。天板１は、その構成材料や構造もまた特に限定されることはなく、木材、樹脂、金属などの任意の材料を用いて、ベタ芯構造、フラッシュ構造、ハニカム構造などの任意の構造にすることができる。
【００１９】
支持脚２は、天板１を支持し、天板１に所定の高さを付与する部材である。支持脚２は、図１および図２に示されるように、支持脚取付構造３を介して、天板１の下面に着脱自在に取り付けられる。テーブルＴは、天板１に対して支持脚２を着脱自在とすることで、運搬や収納を容易に行なうことができる。支持脚２は、本実施形態では、略鉛直方向に延びる脚柱部２１と、脚柱部２１の上端に略Ｔ字状に連結され、略水平方向に延びる支持脚取付部２２とを備えている。支持脚２は、後述するベースプレート４に支持脚取付部２２が取り付けられることで、天板１の下面に取り付けられる。支持脚２は、本実施形態では、２つの脚柱部２１と、それぞれが脚柱部２１のそれぞれに連結される２つの支持脚取付部２２とを備えている。支持脚２は、２つの脚柱部２１の下端において２つの脚柱部２１を互いに連結する脚底部２３をさらに備えている。ただし、支持脚２は、少なくとも支持脚取付部２２を備え、支持脚取付部２２を介して天板１の下面に取り付けることができればよく、その構造は図示された例に限定されることはない。また、支持脚２は、天板１を支持する強度を有していれば、その構成材料は特に限定されることはなく、木材、樹脂、金属などの任意の材料により構成することができる。
【００２０】
支持脚取付部２２は、本実施形態では、図１〜図３に示されるように、略水平方向に延びる略矩形柱状に形成されて、略矩形柱の上面がベースプレート４の下面に取り付けられている。支持脚取付部２２は、図３に示されるように、脚柱部２１から延びる一方側の一箇所、および脚柱部２１から延びる他方側の一箇所の二箇所のみに支持脚取付構造３が設けられて、ベースプレート４に取り付けられる。ここで、支持脚取付構造３は、以下で詳しく述べるように、従来技術と比べて、天板１に支持脚２をより強固に取り付けることができる。したがって、支持脚取付部２２の二箇所のみに支持脚取付構造３を設けるだけで、より高い取付強度を確保することができる。そして、２つの支持脚取付部２２に対して、四箇所のみの支持脚取付構造３が設けられることで、後述するそれぞれ４つの第１締結部材５および第２締結部材６のみで、天板１に支持脚２が取り付けられる。通常、ボルトおよびナットを用いて天板に支持脚を取り付ける場合、ボルトおよびナットの互いの位置合わせが難しく、ボルトおよびナットの数が多ければ多いほど、支持脚の天板への取り付けに時間を要する。ところが、本実施形態のテーブルＴでは、上述したように、それぞれ４つの第１締結部材５および第２締結部材６のみで、天板１に支持脚２を取り付けることができるので、支持脚２の取り付け作業を短時間で行なうことができる。なお、支持脚取付部２２は、本実施形態では略矩形柱状に形成されているが、ベースプレート４の下面に取り付けることができればよく、略円板状など他の形状に形成されてもよい。支持脚取付部２２のさらなる詳細については、後に詳しく述べる。
【００２１】
支持脚取付構造３は、図４および図５に示されるように、天板１の下面に取り付けられるベースプレート４と、ベースプレート４に設けられる第１締結部材５と、第１締結部材５と螺合し、ベースプレート４の下面に支持脚取付部２２を取り付ける第２締結部材６とを備えている。後述するように、第１締結部材５がベースプレート４と係合し、第２締結部材６が支持脚取付部２２と係合し、第１締結部材５と第２締結部材６とが互いに螺合することで、支持脚取付部２２がベースプレート４に取り付けられる。
【００２２】
ベースプレート４は、図１〜図３に示されるように、天板１の下面に取り付けられて、支持脚２に設けられた支持脚取付部２２が取り付けられる部材である。ベースプレート４は、本実施形態では、略矩形板状に形成されて、略矩形板の一方の面である上面が天板１の下面に取り付けられ、略矩形板の他方の面である下面に支持脚取付部２２が取り付けられる。ただし、ベースプレート４は、天板１の下面に取り付けられ、ベースプレート４の下面に支持脚取付部２２を取り付けることができれば、その形状は特に限定されることはなく、略円板状などの他の形状であってもよい。また、本実施形態では、１つの支持脚取付部２２に対して１つのベースプレート４が取り付けられているが、複数の支持脚取付部２２に対して１つのベースプレート４が取り付けられてもよいし、第１締結部材５および第２締結部材６の組の１つに対して１つのベースプレート４が取り付けられてもよい。また、ベースプレート４は、天板１や支持脚２に力が加わったときに天板１から離脱しないように天板１に取り付けることができれば、その取付方法は特に限定されることはなく、固定ネジや両面テープなどの公知の固定手段により天板１に取り付けることができる。また、ベースプレート４は、天板１や支持脚２に力が加わったときに変形を抑制できる強度を有していれば、その構成材料は特に限定されることはなく、たとえば加工性に優れる木材を用いて構成することができる。ベースプレート４のさらなる詳細については、後に詳しく述べる。
【００２３】
第１締結部材５は、ベースプレート４に設けられ、第２締結部材６と螺合することで、ベースプレート４の下面に支持脚取付部２２を取り付ける部材である。第１締結部材５は、図４および図５に示されるように、第２締結部材６と螺合する第１螺合部５１と、ベースプレート４と係合する第１係合部５２とを備えている。第１締結部材５は、第１螺合部５１の螺合軸Ｘがベースプレート４の上面から下面に延びるように、ベースプレート４に設けられる。第１締結部材５と第２締結部材６とは、互いに螺合して、螺合軸Ｘに沿って互いに近づく方向に移動することで、ベースプレート４と支持脚取付部２２とを互いに近づく方向に移動させて、支持脚取付部２２をベースプレート４の下面に取り付ける。第１締結部材５は、第２締結部材６と螺合して、支持脚取付部２２のベースプレート４への取付け状態を維持できる強度を有していれば、その構成材料は特に限定されなく、たとえばステンレスや真鍮などの金属を用いて構成することができる。
【００２４】
第１締結部材５の第１螺合部５１は、本実施形態では、図４および図５に示されるように、略円筒状に形成され、略円筒の内周面に螺合溝が設けられた雌ネジ部として構成されている。しかし、第１螺合部５１は、第２締結部材６と螺合可能であればよく、たとえば、後述する第２締結部材６の第２螺合部６１を雌ネジ部として構成して、第１螺合部５１を雄ネジ部として構成してもよい。
【００２５】
第１締結部材５の第１係合部５２は、後述するベースプレート４のベースプレート側被係合部４１と係合し、第１締結部材５がベースプレート４の下面側へ移動するのを規制するように構成されていれば、その構造は特に限定されない。本実施形態では、第１係合部５２は、図４および図５に示されるように、第１螺合部５１の螺合軸Ｘに対して交差する方向（図示された例では略直交方向）に、第１螺合部５１から外側に拡張するフランジ部５２ａを備えている。フランジ部５２ａは、第１螺合部５１の外周の全体に亘って、第１螺合部５１と一体として設けられている。第１締結部材５は、ベースプレート４の上面側に向くベースプレート側被係合部４１（後述する当接面４１ａ）にフランジ部５２ａが当接して係合することで、ベースプレート４の下面側への移動が規制される。それによって、第１締結部材５と第２締結部材６とが互いに螺合するときに、第２締結部材６に対する第１締結部材５の相対移動に伴って、フランジ部５２ａによって、支持脚取付部２２に対して近接する方向にベースプレート４が相対的に押圧されて、支持脚取付部２２がベースプレート４の下面に取り付けられる。第１係合部５２は、第１螺合部５１から外側に拡張するフランジ部５２ａを備えることにより、ベースプレート側被係合部４１との係合がより強固となり、ベースプレート４の下面側への移動がより確実に規制される。フランジ部５２ａは、本実施形態では第１螺合部５１の螺合軸Ｘ方向の一端側（上端側）に設けられているが、ベースプレート側被係合部４１と係合可能であれば、設けられる位置は特に限定されることはなく、第１螺合部５１の反対の他端側（下端側）に設けられてもよいし、第１螺合部５１の一端側と他端側の間に設けられてもよい。
【００２６】
また、第１係合部５２は、図４および図５に示されるように、第１螺合部５１の螺合軸Ｘの延びる方向に沿ってフランジ部５２ａからベースプレート４の下面側に向かって延びる突起部５２ｂをさらに備えている。第１締結部材５は、突起部５２ｂがベースプレート側被係合部４１（後述する凹部４１ｂ）に嵌入することで、螺合軸Ｘの周りの回転が規制される。それによって、第１締結部材５に第２締結部材６を螺合させる際に、第２締結部材６を螺合軸Ｘの周りに回転させても、第２締結部材６の回転に追従することなく第１締結部材５の回転が規制されるので、第１締結部材５と第２締結部材６とを互いに容易に螺合させることができる。また、突起部５２ｂは、先端に向かって先細りとなるように、テーパー状に形成されている。突起部５２ｂは、テーパー状に形成されることで、ベースプレート側被係合部４１に嵌入させやすくなり、ベースプレート４に第１締結部材５をより容易に設けることができる。さらに、突起部５２ｂは、平滑な表面を有し、フランジ部５２ａと一体として形成されている。したがって、ベースプレート側被係合部４１に対して突起部５２ｂを容易に押し込むことが可能である。本実施形態では、ベースプレート側被係合部４１に対して突起部５２ｂを押し込むことで、突起部５２ｂに対応した凹部４１ｂがベースプレート側被係合部４１に形成されて、その凹部４１ｂに突起部５２ｂが嵌入する。ベースプレート側被係合部４１に対して突起部５２ｂを押し込むだけで、第１締結部材５をベースプレート４に設けることができるので、ネジ止めなどと比べて、短時間で第１締結部材５をベースプレート４に設けることができる。突起部５２ｂは、フランジ部５２ａの周方向に沿って略等間隔で４つ設けられているので、ベースプレート側被係合部４１に対してバランスよく押し込むことができる。
【００２７】
ここで、第１締結部材５が設けられるベースプレート４は、図４および図５に示されるように、ベースプレート４の下面よりも上面側に、第１締結部材５の第１係合部５２と係合するベースプレート側被係合部４１を備えている。ベースプレート側被係合部４１は、第１締結部材５の第１係合部５２と係合することで、第１締結部材５がベースプレート４の下面側へ移動するのを規制する。これにより、第１締結部材５と第２締結部材６とが互いに螺合するときに、第２締結部材６に対する第１締結部材５の相対移動に伴って、第１係合部５２によって、支持脚取付部２２に対して近接する方向にベースプレート４が相対的に押圧されて、支持脚取付部２２がベースプレート４の下面に取り付けられる。
【００２８】
ベースプレート側被係合部４１は、第１締結部材５の第１係合部５２と係合して、第１締結部材５がベースプレート４の下面側へ移動するのを規制することができれば、その構造は特に限定されない。本実施形態では、図５に示されるように、ベースプレート側被係合部４１は、フランジ部５２ａが当接する当接面４１ａと、突起部５２ｂが嵌入する凹部４１ｂとを備えている。当接面４１ａは、ベースプレート４の上面側を向くように、フランジ部５２ａが当接可能な形状および大きさに形成されている。当接面４１ａは、フランジ部５２ａが当接することで、第１締結部材５がベースプレート４の下面側へ移動するのを規制する。凹部４１ｂは、当接面４１ａからベースプレート４の下面側に向かって延びるように、突起部５２ｂが嵌入可能な形状および大きさに形成されている。凹部４１ｂは、突起部５２ｂが嵌入することで、第１締結部材５が螺合軸Ｘの周りで回転するのを規制する。凹部４１ｂは、第１締結部材５がベースプレート側被係合部４１に設けられる前に形成されていてもよいし、第１締結部材５がベースプレート側被係合部４１に設けられる際に形成されてもよい。本実施形態では、第１締結部材５の突起部５２ｂをベースプレート側被係合部４１に押し込むことで、ベースプレート側被係合部４１に突起部５２ｂが没入し、凹部４１ｂが形成される。
【００２９】
ベースプレート側被係合部４１は、ベースプレート４の下面よりも上面側に設けられていれば、その設けられる位置は特に限定されない。本実施形態では、図４および図５に示されるように、ベースプレート側被係合部４１は、ベースプレート４が備える、ベースプレート４の上面から下面まで貫通する貫通孔４２の内部に設けられている。ここで、貫通孔４２は、ベースプレート４の上面側に、第１締結部材５のフランジ部５２ａを収容する第１貫通部４２ａと、ベースプレート４の下面側に、第１貫通部４２ａと連通する第２貫通部４２ｂとを備えている。貫通孔４２では、第１貫通部４２ａが第２貫通部４２ｂよりも大きい外周径（円形断面と仮定して外周から算出した直径）を有し、第１貫通部４２ａと第２貫通部４２ｂとの間に段差が形成されている。この第１貫通部４２ａと第２貫通部４２ｂとの間の段差に、ベースプレート側被係合部４１が形成されている。ベースプレート側被係合部４１を貫通孔４２の内部に設けることで、ベースプレート側被係合部４１と、ベースプレート側被係合部４１に係合する第１係合部５２とがベースプレート４の外部に露出することがないので、ベースプレート４が取り付けられた天板１の下面の外観が優れたものとなる。さらに、第１螺合部５１は、（フランジ部５２ａの設けられる位置に応じて、）第１貫通部４２ａおよび／または第２貫通部４２ｂ（図示された例では第２貫通部４２ｂ）に収容されていている。フランジ部５２ａが第１貫通部４２ａに収容され、第１螺合部５１が第１貫通部４２ａおよび／または第２貫通部４２ｂに収容されることで、第１締結部材５がベースプレート４の外部に突出することがない。したがって、ベースプレート４が取り付けられた天板１の下面の外観が優れたものとなるだけでなく、天板１の下面にベースプレート４を取り付ける際や、ベースプレート４の下面に支持脚２を取り付ける際に、第１締結部材５が障害になることなく、天板１の下面にベースプレート４を容易に配置することができ、ベースプレート４の下面に支持脚２を容易に配置することができる。なお、第１貫通部４２ａおよび第２貫通部４２ｂは、本実施形態では略円柱状に形成されているが、フランジ部５２ａおよび第１螺合部５１を収容可能であればよく、略多角柱状など他の形状を有していてもよい。
【００３０】
第２締結部材６は、第１締結部材５と螺合することで、ベースプレート４の下面に支持脚２の支持脚取付部２２を取り付ける部材である。第２締結部材６は、図４および図５に示されるように、第１締結部材５の第１螺合部５１と螺合する第２螺合部６１と、支持脚取付部２２と係合する第２係合部６２とを備えている。第２締結部材６は、第２螺合部６１の螺合軸Ｘが支持脚取付部２２の下面から上面に延びるように配置される。第１締結部材５と第２締結部材６とは、互いに螺合して、螺合軸Ｘに沿って互いに近づく方向に移動することで、ベースプレート４と支持脚取付部２２とを互いに近づく方向に移動させて、支持脚取付部２２をベースプレート４の下面に取り付ける。第２締結部材６は、第１締結部材５と螺合して、支持脚取付部２２のベースプレート４への取付け状態を維持できる強度を有していれば、その構成材料は特に限定されることはなく、たとえばステンレスや真鍮などの金属を用いて構成することができる。
【００３１】
第２締結部材６の第２螺合部６１は、本実施形態では、図４および図５に示されるように、略円柱状に形成され、略円柱の外周面に螺合溝が設けられた雄ネジ部として構成されている。しかし、第２螺合部６１は、第１締結部材５の第１螺合部５１と螺合可能であればよく、たとえば、第１螺合部５１を雄ネジ部として構成して、第２螺合部６１を雌ネジ部として構成してもよい。
【００３２】
第２締結部材６の第２係合部６２は、後述する支持脚取付部２２の支持脚取付部側被係合部２２ａと係合し、第２締結部材６が支持脚取付部２２の上面側へ移動するのを規制するように構成されていれば、その構造は特に限定されない。第２係合部６２は、本実施形態では、図４および図５に示されるように、第２螺合部６１の螺合軸Ｘ方向の一端側（下端側）に設けられ、第２螺合部６１よりも大径に形成されている。第２締結部材６は、支持脚取付部２２の下面側に向く支持脚取付部側被係合部２２ａに第２係合部６２が当接して係合することで、支持脚取付部２２の上面側への移動が規制される。
【００３３】
ここで、第２締結部材６が係合する支持脚取付部２２は、図４および図５に示されるように、支持脚取付部２２の上面よりも下面側に、第２締結部材６の第２係合部６２と係合する支持脚取付部側被係合部２２ａを備えている。支持脚取付部側被係合部２２ａは、第２締結部材６の第２係合部６２と係合することで、第２締結部材６が支持脚取付部２２の上面側へ移動するのを規制する。これにより、第１締結部材５と第２締結部材６とが互いに螺合するときに、第１締結部材５に対する第２締結部材６の相対移動に伴って、第２係合部６２によって、ベースプレート４に対して近接する方向に支持脚取付部２２が相対的に押圧されて、支持脚取付部２２がベースプレート４の下面に取り付けられる。
【００３４】
支持脚取付部側被係合部２２ａは、支持脚取付部２２の上面よりも下面側に設けられていればよく、その設けられる位置は特に限定されない。本実施形態では、図４および図５に示されるように、支持脚取付部側被係合部２２ａは、支持脚取付部２２の上面から下面まで貫通する貫通孔２２ｂの内部に設けられている。ここで、貫通孔２２ｂは、支持脚取付部２２の上面側の第３貫通部２２ｃと、支持脚取付部２２の下面側の、第３貫通部２２ｃと連通する第４貫通部２２ｄとを備えている。第３貫通部２２ｃと、第３貫通部２２ｃよりも大径の第４貫通部２２ｄとの間に形成された段差に、支持脚取付部側被係合部２２ａが形成されている。このように、支持脚取付部側被係合部２２ａを貫通孔２２ｂの内部に設けることで、支持脚取付部側被係合部２２ａ、および支持脚取付部側被係合部２２ａと係合する第２締結部材６の第２係合部６２が支持脚取付部２２の外部に露出することがないので、支持脚取付部２２の外観が優れたものとなる。さらに、本実施形態では、第２締結部材６の第２螺合部６１が、第３貫通部２２ｃおよびベースプレート４の貫通孔４２に収容され、第２締結部材６の第２係合部６２が、第４貫通部２２ｄに収容されることで、第２締結部材６が支持脚取付部２２やベースプレート４の外部に突出することがないので、テーブルＴの外観が優れたものとなるだけでなく、使用者が第２締結部材６に引っ掛かることがなく、テーブルＴを安全に使用することができる。
【００３５】
以上に示したように、本実施形態の支持脚取付構造３においては、ベースプレート４の下面よりも上面側に設けられたベースプレート側被係合部４１に第１締結部材５の第１係合部５２が係合し、支持脚取付部２２の上面よりも下面側に設けられた支持脚取付部側被係合部２２ａに第２締結部材６の第２係合部６２が係合している。したがって、第１締結部材５と第２締結部材６とが螺合することによって、支持脚取付部２２およびベースプレート４が第１係合部５２と第２係合部６２とによって挟持され、支持脚取付部２２がベースプレート４に取り付けられる。そのため、天板１に支持脚取付構造３を介して支持脚２が取り付けられた後に、支持脚２に、天板１から離間させるような力が加わっても、第１締結部材５の第１係合部５２が、ベースプレート側被係合部４１に、より強固に係合する方向に押圧されるので、第１締結部材５は、より強固にベースプレート４に固定されることになる。したがって、支持脚取付構造３は、従来技術と比べて、天板１への支持脚２の取り付けをより強固にすることができる。
【符号の説明】
【００３６】
１  天板
２  支持脚
２１  脚柱部
２２  支持脚取付部
２２ａ  支持脚取付部側被係合部
２２ｂ  支持脚取付部の貫通孔
２２ｃ  第３貫通部
２２ｄ  第４貫通部
２３  脚底部
３  支持脚取付構造
４  ベースプレート
４１  ベースプレート側被係合部
４１ａ  当接面
４１ｂ  凹部
４２  ベースプレートの貫通孔
４２ａ  第１貫通部
４２ｂ  第２貫通部
５  第１締結部材
５１  第１螺合部
５２  第１係合部
５２ａ  フランジ部
５２ｂ  突起部
６  第２締結部材
６１  第２螺合部
６２  第２係合部
Ｔ  テーブル
Ｘ  螺合軸
【図１】
2019141230.tif 000003
【図２】
2019141230.tif 000004
【図３】
2019141230.tif 000005
【図４】
2019141230.tif 000006
【図５】
2019141230.tif 000007